(57)【要約】【課題】、複数の機能を有する複合機では、起動時に印刷を伴わない機能を使用する場合でもウォームアップ処理等が発生し、その結果、無駄な電力を消費してしまう。【解決手段】複数の機能に関するユニット３〜７を有する複合機１において、操作者からの指示を受け付ける受付部１０、１５〜２２と、受付部による受付結果を検出する検出部１２と、検出部による検出結果に基づいてユニット３〜７のそれぞれについて初期化するかを判断する初期化判断部１３とを備えた。【選択図】    図１
2014158205.tif 000002
【特許請求の範囲】
【請求項１】
複数の機能に関するユニットを有する複合機において、
操作者からの指示を受け付ける受付部と、
前記受付部による受付結果を検出する検出部と、
前記検出部による検出結果に基づいて前記ユニットのそれぞれについて初期化するかを判断する初期化判断部とを備えたことを特徴とする複合機。
【請求項２】
前記受付部は電源投入の指示を受け付ける電源投入受付部と、前記機能の選択を受け付ける機能受付部とを有し、
前記初期化判断部は、前記検出部が電源投入と共に前記機能の選択を検出したときに、選択された機能に関する前記ユニットを初期化し、選択された機能に関する前記ユニット以外の初期化を行わないと判断することを特徴とする請求項１記載の複合機。
【請求項３】
前記受付部は電源投入の指示を受け付ける電源投入受付部と印刷の指示を受け付ける印刷受付部とを有し、
前記初期化判断部は、前記検出部が電源投入と共に印刷の指示を検出したときに、印刷に必要な機能に関する前記ユニットを初期化し、印刷に必要な機能に関する前記ユニット以外の初期化を行わないと判断することを特徴とする請求項１記載の複合機。
【請求項４】
前記受付部は前記複数の機能毎に割り当てられたスイッチであることを特徴とする請求項１記載の複合機。
【請求項５】
前記初期化は印刷に必要な機能に関する前記ユニットのウォームアップ動作を含むことを特徴とする請求項１記載の複合機。
【請求項６】
前記受付部は、更に、節電の指示を受け付ける節電受付部を有し、
前記検出部の検出結果に基づいて電源を供給するかを判断する通電判断部を更に備えたことを特徴とする請求項２又は３記載の複合機。
【請求項７】
複数の機能を有する複合機の初期化方法において、
受付部で受け付けた操作者からの指示を検出部が検出する指示検出工程と、
前記検出部による検出結果に基づいて前記複数の機能に関するユニットついて初期化するかを判断する初期化判断工程とを含むことを特徴とする複合機の初期化方法。
【請求項８】
前記指示検出工程は、
電源投入を指示した操作者からの指示を検出する電源指示検出工程と、
前記機能の選択を受け付けた操作者からの指示を検出する機能選択検出工程とを含み、
更に、前記初期化判断工程は、
前記検出部が電源投入と共に前記機能の選択を検出したときに、選択された機能に関するユニットを初期化し、選択された機能に関するユニット以外の初期化は行わないと判断することを特徴とする請求項７記載の複合機の初期化方法。
【請求項９】
前記機能選択検出工程は、前記複数の機能について、所定の順序で操作者からの指示を検出することを特徴とする請求項８記載の複合機の初期化方法。
【請求項１０】
前記指示検出工程は、前記操作者からの節電の指示を検出する節電指示検出工程を含み、
更に、前記操作者からの節電の指示があったとき、前記機能選択検出工程における検出結果に基づいて、選択されない機能に関するユニットに対し、電源を供給するかを判断する省電力モード判断工程を含むことを特徴とする請求項８記載の複合機の初期化方法。
【発明の詳細な説明】
【技術分野】
【０００１】
本発明は、プリンタ、コピー、スキャナ及びファクシミリ等の複数の機能を備えた複合機に関するものである。
【背景技術】
【０００２】
従来、プリンタ、コピー、スキャナ及びファクシミリ等の複数の機能を備えた複合機において、電源投入時にウォームアップ処理等の初期化処理が完了した後、複合機の複数の機能に関する全ユニットを待機状態としている。そして、操作者による機能選択の操作に基づいて、選択された機能に関するユニットを起動し、選択されていない機能に関するユニットを直ちに省電力モードにすることで省電力化を向上する技術がある。
【０００３】
特開２００９−８１８１５号公報（特許文献１）には、読取ユニット及び印刷ユニットを有し、両ユニットを省電力状態又は通常状態に移行させる制御部と、処理の開始を示す第１の操作情報及び処理の内容を示す第２の操作情報が入力される操作パネルを有する技術が開示されている。そして、特許文献１は、読取ユニット及び印刷ユニットが省電力状態にあるときに操作パネルから第１の操作情報が入力されると、読取ユニット及び印刷ユニットを通常状態に移行させ、第２の操作情報が入力されると、省電力状態に移行させる。
【先行技術文献】
【特許文献】
【０００４】
【特許文献１】特開２００９−８１８１５号公報
【発明の概要】
【発明が解決しようとする課題】
【０００５】
しかしながら従来の技術によれば、複数の機能を有する複合機ではウォームアップ処理等の初期化処理を完了した後、待機状態としており、起動時に印刷を伴わない機能を使用する場合でもウォームアップ処理等が発生し、その結果、無駄な電力を消費してしまうという問題があった。
【０００６】
本発明が解決しようとする課題は、操作者により選択可能な複数の機能を有する複合機において、操作者が選択した機能に関連するユニットのみ初期化することにより、無駄な電力の消費を抑制することを可能とするものである。
【課題を解決するための手段】
【０００７】
上記課題を解決するために本発明に関する複合機は、複数の機能に関するユニットを有する複合機において、操作者からの指示を受け付ける受付部と、前記受付部による受付結果を検出する検出部と、前記検出部による検出結果に基づいて前記ユニットのそれぞれについて初期化するかを判断する初期化判断部とを備えたことを特徴とするものである。
【発明の効果】
【０００８】
上記構成を有する本発明によれば、検出部による検出結果に基づいて複数の機能に関するユニットのそれぞれについて初期化するかを判断する初期化判断部を備えたので、操作者が選択した機能に関連するユニットのみ初期化し、選択した機能に関連しないユニットに対しては初期化せず又は省電力モードとすることにより、初期化に際しての無駄な電力の消費を抑制することが可能になる。
【図面の簡単な説明】
【０００９】
【図１】第１の実施の形態に関する複合機１の構成を説明するブロック図である。
【図２】第１の実施の形態に関するスキャナ部６の構成を示すブロック図である。
【図３】第１の実施の形態に関するプリンタ部７の構成を示すブロック図である。
【図４】第１の実施の形態に関する複合機１に設けられる操作表示部９を示す説明図である。
【図５−１】第１の実施の形態に関する複合機１の起動時における初期化動作を説明するフローチャートである。
【図５−２】同じく第１の実施の形態に関する複合機１の起動時における初期化動作を説明するフローチャートである。
【図６】第２の実施の形態に関する複合機１０１の構成を説明するブロック図である。
【図７】第２の実施の形態に関する複合機１０１に設けられる操作表示部１０９を示す説明図である。
【図８−１】第２の実施の形態に関する複合機１０１の起動時における初期化動作を説明するフローチャートである。
【図８−２】同じく第２の実施の形態に関する複合機１０１の起動時における初期化動作を説明するフローチャートである。
【発明を実施するための形態】
【００１０】
（第１の実施の形態）
以下、本発明の第１の実施の形態に関する複合機について説明する。図１は第１の実施の形態に関する複合機１の構成を説明するブロック図である。なお、説明の便宜上、本実施の形態に関連する構成のみを記載している。複合機１はコピー機能、スキャナ機能、プリント機能及びファックス機能の複数機能を備える。
【００１１】
メイン制御部２は、ネットワーク制御部３、ファックス制御部４、画像処理部５、スキャナ部６、プリンタ部７等と接続される。そしてメイン制御部２はメモリ８に格納された制御プログラムにより動作する。メイン制御部２は操作表示部９の操作要求に基づいて、ネットワーク制御部３、ファックス制御部４、画像処理部５、スキャナ部６及びプリンタ部７の動作を制御する。更に、メイン制御部２は初期化判断部１３からの通知に基づいて、メイン制御部２に接続された各制御部（ネットワーク制御部３、ファックス制御部４、スキャナ部６、プリンタ部７）に対して、初期化を含めた動作制御を命令する。メイン制御部２は、一例を挙げればＣＰＵ（中央演算処理部装置）で構成することができる。
【００１２】
ネットワーク制御部３はＰＣ等の上位装置と外部接続される。ネットワーク制御部３は、プリント機能及びスキャナ機能に関するユニットである。即ち、プリント機能の動作のときネットワーク制御部３は、メイン制御部２の制御命令に基づいて、ＰＣ等の上位装置とプロトコル通信をして印刷ジョブを受信する。そしてネットワーク制御部３は、メイン制御部２の制御命令に基づいて、受信した印刷ジョブから画像データを取り出しメモリ８に格納する。メモリ８に格納された画像データはプリンタ部７によって印刷が行われる。更に、スキャナ機能の動作のときネットワーク制御部３は、スキャナ部６によって生成され、そしてメモリ８に格納された画像データをＰＣ等の上位装置へ送信する。
【００１３】
ファックス制御部４は、公衆交換電話網と回線接続される。ファックス制御部４はファックス機能に関するユニットである。即ち、ファックス制御部４は、メイン制御部２の制御命令に基づいて、公衆交換電話網とファックス受信及びファックス送信を行う。詳細を述べれば、公衆交換電話網から受信した通信データを復調しながら復号化し、画像データとしてメモリ８に格納する。メモリ８に格納された画像データはプリンタ部７によって印刷が行われる。更に、ファックス制御部４は、メイン制御部２の制御命令に基づいて、スキャナ部６によって生成され、メモリ８に格納された画像データを符号化して送信レートに応じて変調する。そして、ファックス制御部４は、発呼先のファックス受信機に通信データを送信する。画像処理部５はメモリ８に格納された画像データに対して、拡大、縮小、回転又はノイズ除去といった画像処理を行う。
【００１４】
スキャナ部６については、図２を用いて簡単に説明する。図２は第１の実施の形態に関するスキャナ部６の構成を示すブロック図である。スキャナ部６は原稿に光を照射する光源６１、原稿からの反射光を受光する読取センサ６２及び原稿を搬送する原稿搬送部６３を含んで構成される。スキャナ部６はメイン制御部２の制御命令に基づいて、光源６１と読取センサ６２により原稿を読み取ることで画像データを生成し、当該画像データをメモリ８に格納する。スキャナ部６はコピー機能、スキャナ機能及びファックス機能に関するユニットである。即ち、スキャナ部６はコピー機能の選択のとき、スキャナ機能の選択のとき及びファックス機能の選択のときに動作する。
【００１５】
プリンタ部７については、図３を用いて簡単に説明する。図３は第１の実施の形態に関するプリンタ部７の構成を示すブロック図である。プリンタ部７は、画像を用紙に形成する画像形成部７１、用紙の画像を熱によって定着する熱定着部７２、用紙を搬送する用紙搬送部７４及び用紙を格納する用紙カセット７３を含んで構成される。メイン制御部２の制御命令に基づいて、用紙カセット７３から用紙を用紙搬送部７４に搬送する。そして、メモリ８に格納された画像データを受信して、画像形成部７１により用紙搬送部７４に搬送された用紙上にトナー像を転写形成する。その後、熱定着部７２により用紙にトナーを定着することで印刷を行う。プリンタ部７はコピー機能、スキャナ機能及びファックス機能に関するユニットである。即ち、プリンタ部７はコピー機能の選択のとき、プリント機能の選択のとき及びファックス機能の選択のときに動作する。
【００１６】
メモリ８はメイン制御部２に接続され、ＲＯＭ部８１及びＲＡＭ部８２からなる。ＲＯＭ部８１は各部を動作させる制御プログラムを記憶する。ＲＡＭ部８２はコピー機能及びスキャナ機能の動作のとき、スキャナ部６が出力する画像データを記憶する。そしてプリント機能の動作のとき、ネットワーク制御部３が出力する画像データを記憶する。更に、ファックス機能のうち受信機能の動作のときファックス制御部４が出力する画像データを記憶し、また送信機能の動作のときスキャナ部６が出力する画像データを記憶する。
【００１７】
操作表示部９は、メイン制御部２に接続され、操作者が操作可能なように複合機１の筐体の一部に設けられている。操作表示部９は、操作者からの指示を受け付ける受付部としての複数のキーを有する。操作者がこれらのキーを押下することで、使用機能の選択及び各種設定操作を行うことができる。特に、本実施の形態において操作者は、電源投入時に操作表示部９に具備する後述する各種機能キー（図４に示すコピーキー１５、スキャナキー１６、プリントキー１７、ファックスキー１８）を押下する。更に操作表示部９は、複合機１の状態等を示すメッセージを表示画面に表示する。
【００１８】
電源スイッチ１０は操作表示部９に配備されている。電源スイッチ１０は操作者からの電源投入の指示を受け付ける電源投入受付部である。操作者による電源スイッチ１０の押下により、電源部１１に電源投入を要求することができる。電源部１１は、電源スイッチ１０の押下による電源投入の要求があれば、前記各制御部への電源を供給する。
【００１９】
検出部１２は、メイン制御部２、操作表示部９及び次に説明する初期化判断部１３と接続される。検出部１２は、電源投入時に操作表示部９に具備する各種機能キー（コピーキー１５、スキャナキー１６、プリントキー１７、ファックスキー１８）の押下、即ち操作者からの指示を受け付けた受付結果としての押下を検出し、その検出結果を押下情報として初期化判断部１３に通知する。
【００２０】
初期化判断部１３は、メイン制御部２及び検出部１２に接続される。そして初期化判断部１３は検出部１２から受信した検出結果としての各種機能キーの押下情報に基づいて、前記各制御部（ネットワーク制御部３、ファックス制御部４、スキャナ部６、プリンタ部７）のそれぞれについて初期化が必要かを判断する。そして、初期化判断部１３は、メイン制御部２に対し初期化が必要な前記各制御部を通知する。初期化が必要でない場合は、初期化が必要であるとの判断は行わない。後述するように、これを受けたメイン制御部２は、初期化が必要な機能に関わるユニットに対し、初期化するよう命令する。
【００２１】
ここでスキャナ部６の初期化とは、スキャナ部６に具備する光源６１の露光調整、読取センサ６２のキャリブレーション及び読取センサ６２のホームシーク動作である。また、プリンタ部７の初期化とは、熱定着部７２の温度を速やかに印刷可能な温度まで暖気するウォームアップ動作及び用紙カセット７３内に用紙がセットされているかの確認動作である。このように機能に関わるユニットの初期化は、一般に、位置や温度の調整等の物理的数値の調整を必要とする場合が多い。また、初期化を行わないとは前記露光調整又はホームシーク動作を行わないことであり、しかし電源は供給されている状態とする。
【００２２】
図４は第１の実施の形態に関する複合機１に設けられる操作表示部９を示す説明図である。表示画面１４は、複合機１の稼働状態及び各機能の動作モードのメニューを表示するための画面を表示する。表示画面１４は例えば液晶表示パネルからなる。
【００２３】
コピーキー１５、スキャナキー１６、プリントキー１７及びファックスキー１８は、複合機１が有する複数の機能、即ちコピー機能、スキャナ機能、プリント機能及びファックス機能の機能毎に割り当てられている。コピーキー１５は、コピー機能を選択する際に押下するキーである。コピーキー１５の押下により、ユニットとしてのスキャナ部６及びプリンタ部７が動作する。スキャナキー１６は、スキャナ機能を選択する際に押下するキーである。スキャナキー１６の押下により、ユニットとしてのネットワーク制御部３及びスキャナ部６が動作する。
【００２４】
プリントキー１７は、プリント機能を選択する際に押下するキーである。プリントキー１７の押下により、ユニットとしてのネットワーク制御部３及びプリンタ部７が動作する。ファックスキー１８は、ファックス機能を選択する際に押下するキーである。ファックスキー１８の押下により、ユニットとしてのファックス制御部４、スキャナ部６及びプリンタ部７が動作する。
【００２５】
これらの各種機能キー（コピーキー１５、スキャナキー１６、プリントキー１７、ファックスキー１８）は操作者からの機能選択の指示を受け付ける機能受付部である。また、プリントキー１７は操作者からの印刷の指示を受け付ける印刷受付部でもある。操作者は、電源投入受付部としての電源スイッチ１０とともに機能受付部としての各種機能キーを押下することができる。これら各種機能キーの押下、即ち受付部の受付結果は検出部１２により検出される。
【００２６】
設定キー１９は、複合機１の設定情報を表示する際に押下するキーである。ヘルプキー２０は、複合機１の使用説明及びトラブル発生時の回避説明を表示する際に押下するキーである。十字キー２１は、表示画面１４に表示されたメニューを選択する際に押下するキーである。数字キー２２は、ファックス送信時に相手先電話番号を入力する際に押下するキーである。
【００２７】
次に、第１の実施の形態に関する複合機１の初期化動作を説明する。図５は第１の実施の形態に関する複合機１の起動時における初期化動作を説明するフローチャートである。
Ｓ００１：この工程は、操作者からの指示を検出する指示検出工程である。特に電源投入の指示を検出する電源指示検出工程でもある。即ち、操作者は複合機１を起動するために、操作表示部９に具備された各種機能キー（コピーキー１５、スキャナキー１６、プリントキー１７及びファックスキー１８）のいずれかを押下し、同時に電源スイッチ１０を押下する。そうすると、まずメイン制御部２は検出部１２に対して、電源スイッチ１０の押下を検出するよう命令する。なお、同時に押下するとは、厳密に同じ瞬間である必要はない。検出部１２が操作者の一連の動作として検出できればよい。
【００２８】
Ｓ００２：また、この工程も、操作者からの指示を検出する指示検出工程である。特に、機能の選択をした操作者からの指示を検出する機能選択検出工程でもある。即ち、メイン制御部２は検出部１２に対し、各種機能キー（コピーキー１５、スキャナキー１６、プリントキー１７及びファックスキー１８）の押下を検出するよう命令する。検出部１２が、電源投入時に各種機能キー１５乃至１８のいずれも押下されていないことを検出したときは、ステップ００３へ移行する。検出部１２が各種機能キー１５乃至１８のいずれかを押下したことを検出したときは、ステップ００５へ移行する。
【００２９】
Ｓ００３：ステップ００２において、検出部１２が電源投入時に各種機能キー１５乃至１８のいずれも押下されていないことを検出したときは、検出部１２は各種機能キー１５乃至１８の非押下情報を初期化判断部１３へ通知する。すると初期化判断部１３はメイン制御部２に複合機１が内蔵する全ユニット（ネットワーク制御部３、ファックス制御部４、スキャナ部６、プリンタ部７）を初期化するよう通知する。これを受けてメイン制御部２は、全制御部３、４、６、７に対し、初期化するよう命令する。
【００３０】
Ｓ００４：メイン制御部２からの初期化命令が完了すると、複合機１は待機状態Ａとなる。待機状態Ａは複合機１が有する全ての機能（コピー機能、スキャナ機能、プリント機能及びファックス機能）を速やかに動作できる状態である。
【００３１】
Ｓ００５：この工程も、操作者からの指示を検出する指示検出工程である。特に、機能の選択をした操作者からの指示を検出する機能選択検出工程でもある。即ち、ステップ００２において、検出部１２が各種機能キー１５乃至１８のいずれかを押下したことを検出したときは、メイン制御部２は検出部１２に対し、電源投入時にコピーキー１５の押下を検出したかどうかチェックするよう命令する。検出部１２がコピーキー１５の押下を検出したときはステップ００６へ移行し、検出しないときはステップ００８へ移行する。
【００３２】
Ｓ００６：この工程は、複数の機能に関する各ユニットついて初期化するかを判断する初期化判断工程である。即ち、検出部１２がコピーキー１５の押下を検出したときは、メイン制御部２は検出部１２に対し、コピーキー１５の押下情報を初期化判断部１３へ通知するよう命令する。初期化判断部１３は、コピー機能に関わるユニットとしてのスキャナ部６とプリンタ部７について初期化が必要であると判断する。初期化判断部１３はスキャナ部６とプリンタ部７を初期化するようにメイン制御部２に通知する。これを受けてメイン制御部２はスキャナ部６とプリンタ部７に対し、初期化するよう命令する。なお、初期化判断部１３はコピー機能に関わるユニットとしてのスキャナ部６とプリンタ部７以外については初期化が必要であるとの判断は行わない。
【００３３】
Ｓ００７：メイン制御部２からの初期化命令が完了すると、複合機１は待機状態Ｂとなる。待機状態Ｂはコピー機能を速やかに動作できる状態である。
【００３４】
Ｓ００８：この工程も、操作者からの指示を検出する指示検出工程である。特に、機能の選択をした操作者からの指示を検出する機能選択検出工程でもある。即ち、ステップ００５において、検出部１２がコピーキー１５の押下を検出しないときは、メイン制御部２は検出部１２に対し、電源投入時にスキャナキー１６の押下を検出したかどうかチェックするよう命令する。検出部１２がスキャナキー１６の押下を検出したときはステップ００９へ移行し、検出しないときはステップ０１１へ移行する。
【００３５】
Ｓ００９：この工程も、複数の機能に関する各ユニットついて初期化するかを判断する初期化判断工程である。即ち、検出部１２がスキャナキー１６の押下を検出したときは、メイン制御部２は検出部１２に対し、スキャナキー１６の押下情報を初期化判断部１３へ通知するよう命令する。初期化判断部１３はスキャナ機能に関わるユニットとしてのスキャナ部６について初期化が必要であると判断する。初期化判断部１３はスキャナ部６を初期化するようにメイン制御部２に通知する。これを受けてメイン制御部２はスキャナ部６に対し、初期化するよう命令する。なお、初期化判断部１３はスキャナ機能に関わるユニットとしてのスキャナ部６以外については初期化が必要であるとの判断は行わない。
【００３６】
Ｓ０１０：メイン制御部２からの初期化命令が完了すると、複合機１は待機状態Ｃとなる。待機状態Ｃはスキャナ機能のみを速やかに動作できる状態である。
【００３７】
Ｓ０１１：この工程も、操作者からの指示を検出する指示検出工程である。特に、機能の選択をした操作者からの指示を検出する機能選択検出工程でもある。即ち、ステップ００８において、検出部１２がスキャナキー１６の押下を検出しないときは、メイン制御部２は検出部１２に対し、電源投入時にプリントキー１７の押下を検出したかどうかチェックするよう命令する。検出部１２がプリントキー１７の押下を検出したときはステップ０１２へ移行し、検出しないときはステップ０１４へ移行する。
【００３８】
Ｓ０１２：この工程も、複数の機能に関する各ユニットついて初期化するかを判断する初期化判断工程である。即ち、検出部１２がプリントキー１７の押下を検出したときは、メイン制御部２は検出部１２に対し、プリントキー１７の押下情報を初期化判断部１３へ通知するよう命令する。初期化判断部１３はプリント機能に関わるユニットとしてのネットワーク制御部３とプリンタ部７について初期化が必要であると判断する。初期化判断部１３はネットワーク制御部３とプリンタ部７を初期化するようにメイン制御部２に通知する。これを受けてメイン制御部２はネットワーク制御部３とプリンタ部７に対し、初期化するよう命令する。なお、初期化判断部１３はプリント機能に関わるユニットとしてのネットワーク制御部３とプリンタ部７以外については初期化が必要であるとの判断は行わない。
【００３９】
Ｓ０１３：メイン制御部２からの初期化命令が完了すると、複合機１は待機状態Ｄとなる。待機状態Ｄはプリント機能のみを速やかに動作できる状態である。
【００４０】
Ｓ０１４：この工程も、操作者からの指示を検出する指示検出工程である。特に、機能の選択をした操作者からの指示を検出する機能選択検出工程でもある。即ち、ステップ０１１において、検出部１２がプリントキー１７の押下を検出しないときは、残りはファックスキー１８の押下の検出であるので、ステップ０１５へ移行する。
【００４１】
Ｓ０１５：この工程も、複数の機能に関する各ユニットついて初期化するかを判断する初期化判断工程である。即ち、メイン制御部２は検出部１２に対し、ファックスキー１８の押下情報を初期化判断部１３へ通知するよう命令する。初期化判断部１３はファックス機能に関わるユニットとしてのファックス制御部４、スキャナ部６及びプリンタ部７について初期化が必要であると判断する。初期化判断部１３はファックス制御部４、スキャナ部６及びプリンタ部７を初期化するようにメイン制御部２に通知する。これを受けてメイン制御部２はファックス制御部４、スキャナ部６及びプリンタ部７に対し、初期化するよう命令する。なお、初期化判断部１３はファックス機能に関わるユニットとしてのファックス制御部４、スキャナ部６及びプリンタ部７以外については初期化が必要であるとの判断は行わない。
【００４２】
Ｓ０１６：メイン制御部２からの初期化命令が完了すると、複合機１は待機状態Ｅとなる。待機状態Ｅはファックス受信機能及び送信機能のみを速やかに動作できる状態である。
【００４３】
本実施の形態における機能キーの検出優先順位は、前述の通りコピーキー１５＞スキャナキー１６＞プリントキー１７＞ファックスキー１８で説明したが、これに限らず他の検出優先順位であっても適用可能である。
【００４４】
第１の実施の形態によれば、電源投入時に複合機１の起動後に使用する機能をキー押下により選択し、これに基づいて選択した機能に関わるユニットのみを初期化し、選択しない機能に関わるユニットは初期化をしないこととしたので、初期化に際しての無駄な電力の消費を抑制することを可能とした複合機１を達成することが可能となる。また、選択しない機能に関わるユニットは初期化しないこととしたので、使わない機能の初期化に係る時間の短縮を得ることができるという効果も生じる。
【００４５】
（第２の実施の形態）
次に第２の実施の形態について説明する。前記第１の実施の形態では、電源投入時に複合機１の起動後に使用する機能をキー押下により選択し、これに基づいて選択した機能に関わるユニットのみを初期化し、選択しない機能に関わるユニットは初期化をしないこととした。初期化をしないとは、例えば前記露光調整又はホームシーク動作を行わないことであり、しかし電源は供給されている状態であった。第２の実施の形態においては、選択しない機能に関わるユニットに対しては電源供給を停止する省電力モードとするものである。第２の実施の形態においては、後述するように電源スイッチ、各種機能選択キー及び節電キーの３種のキーを同時に押下したときに有効となる。第２の実施の形態の説明において第１の実施の形態と異なる構成のみを説明する。
【００４６】
図６は第２の実施の形態に関する複合機１０１の構成を説明するブロック図である。メイン制御部１０２は、ネットワーク制御部３、ファックス制御部４、画像処理部５、スキャナ部６、プリンタ部７と接続される。そして、メイン制御部１０２は、メモリ８に格納された制御プログラムにより動作する。メイン制御部１０２は操作表示部９の操作要求に基づいて、ネットワーク制御部３、ファックス制御部４、画像処理部５、スキャナ部６、プリンタ部７の動作を制御する。更にメイン制御部１０２は初期化判断部１３の通知に基づいて、メイン制御部１０２に接続された各制御部（ネットワーク制御部３、ファックス制御部４、スキャナ部６、プリンタ部７）に対して、初期化を含めた動作制御を命令する。
【００４７】
更に、メイン制御部１０２は、通電判断部１２８の通知に基づいて、メイン制御部１０２に接続された各制御部（ネットワーク制御部３、ファックス制御部４、スキャナ部６、プリンタ部７）を省電力モードにするよう命令する。なお、本実施の形態において省電力モードにするとは、当該制御部に対し電源供給をオフすることをいう。
【００４８】
操作表示部１０９は、メイン制御部１０２に接続され、操作者が操作可能なように複合機１０１の筐体の一部に設けられている。操作者が操作表示部１０９に設置されたキーを押下することで、使用機能の選択及び各種設定操作を行うことができる。更に、本実施の形態においては操作表示部１０９に節電キー１２６を具備している。節電キー１２６は操作者からの節電の指示を受け付ける節電受付部である。
【００４９】
検出部１１２は、メイン制御部１０２、通電判断部１２８、操作表示部１０９及び初期化判断部１３と接続される。電源投入時に操作表示部１０９に具備する機能キー（コピーキー１５、スキャナキー１６、プリントキー１７及びファックスキー１８）並びに節電キー１２６の押下を検出する。そして検出部１１２は検出結果としての押下情報を初期化判断部１３及び通電判断部１２８に通知する。
【００５０】
通電判断部１２８は、検出部１１２から受信した検出結果としての押下情報に基づいて、複数機能に関わるユニットとしての制御部に対して、電源を供給するかどうかを判断する。そして、メイン制御部１０２に対し電源供給をオフする対象となる制御部（ネットワーク制御部３、ファックス制御部４、スキャナ部６又はプリンタ部７）を通知する。後述するようにこれを受けたメイン制御部１０２は、電源供給をオフする対象となる制御部（ネットワーク制御部３、ファックス制御部４、スキャナ部６又はプリンタ部７）に対し省電力モードにするよう命令する。
【００５１】
図７は第２の実施の形態に関する複合機１０１に設けられる操作表示部１０９を示す説明図である。第１の実施の形態に関する操作表示部９と同じ構成のものは同じ符号にて示し説明を省略する。操作者は、電源スイッチ１０の押下とともに各種機能キー（コピーキー１５、スキャナキー１６、プリントキー１７、ファックスキー１８）を選択して押下することができる。更に本実施の形態においては、操作者は、節電の指示を受け付ける節電受付部としての節電キー１２６を押下することができる。操作者が電源投入時に機能キー１５乃至１８を選択して押下し、更に節電キー１２６を押下することにより、後述するように選択された機能に関するユニットのみを初期化し、更に選択されない機能に関するユニットは省電力モードにすることが可能となる。
【００５２】
次に本実施の形態に関する複合機１０１の初期化動作を説明する。図８は、第２の実施の形態に関する複合機１０１の起動時における初期化動作を説明するフローチャートである。
Ｓ１０１：この工程は、操作者からの指示を検出する指示検出工程である。特に電源投入の指示を検出する電源指示検出工程でもある。即ち、操作者は複合機１０１を起動するために、操作表示部１０９に具備された各種機能キー（コピーキー１５、スキャナキー１６、プリントキー１７及びファックスキー１８）のいずれかを押下しながら、電源スイッチ１０を押下する。そして、必要に応じて節電キー１２６を同時に押下する。そうすると、まずメイン制御部１０２は検出部１１２に対し、電源スイッチ１０の押下を検出するよう命令する。
【００５３】
Ｓ１０２：この工程は、操作者からの指示を検出する指示検出工程である。特に、操作者からの節電の指示を検出する節電指示検出工程でもある。即ち、メイン制御部１０２は検出部１１２に対し、節電キー１２６の押下を検出するよう命令する。検出部１１２が、電源投入時に節電キー１２６が押下されていないことを検出したときは、ステップ１０３へ移行する。検出部１１２が節電キー１２６を押下されたことを検出したときは、ステップ１０５へ移行する。
【００５４】
Ｓ１０３：ステップ１０２において、検出部１１２が電源投入時に節電キー１２６が押下されていないことを検出したときは、前述の第１の実施の形態と同じ条件になる。即ち、検出部１１２が電源スイッチ１０の押下を検出するとともに、各種機能キー（コピーキー１５、スキャナキー１６、プリントキー１７、ファックスキー１８）を選択して押下されたことを検出することになる。具体的には、メイン制御部１０２は、第１の実施の形態の説明の図５−１のステップ００２以降の処理を行うが、その説明は省略する。
【００５５】
Ｓ１０３−２：ここで前記ステップ１０３の説明では、ステップ１０２において検出部１１２が電源投入時に節電キー１２６が押下されていないことを検出したときは、第１の実施の形態に移行することを説明したが、これに限らない。即ち、この段階で全制御部を初期化するようにしてもよい。具体的には、ステップ１０２において検出部１１２が電源投入時に節電キー１２６が押下されていないことを検出したときは、検出部１１２は節電キー１２６の非押下情報を初期化判断部１３へ通知する。すると初期化判断部１３はメイン制御部１０２に複合機１０１が内蔵する全ユニット（ネットワーク制御部３、ファックス制御部４、スキャナ部６、プリンタ部７）を初期化するよう通知する。これを受けてメイン制御部１０２は、全制御部３、４、６、７に対し、初期化するよう命令する。
Ｓ１０４：メイン制御部１０２からのステップ１０３−２における初期化命令が完了すると、複合機１０１は待機状態Ｆとなる。待機状態Ｆは複合機１０１が有する全ての機能（コピー機能、スキャナ機能、プリント機能及びファックス機能）を速やかに動作できる状態である。
【００５６】
Ｓ１０５：この工程も、操作者からの指示を検出する指示検出工程である。特に、機能の選択をした操作者からの指示を検出する機能選択検出工程でもある。即ち、ステップ１０２において、検出部１１２が節電キー１２６を押下したことを検出したときは、メイン制御部１０２は検出部１１２に対し、電源投入時に節電キー１２６とコピーキー１５の押下を検出したかどうかチェックするよう命令する。検出部１１２がコピーキー１５の押下を検出したときはステップ００６へ移行し、検出しないときはステップ１０９へ移行する。
【００５７】
Ｓ１０６：この工程は、複数の機能に関する各ユニットついて初期化するかを判断する初期化判断工程である。即ち、検出部１１２が電源投入時に節電キー１２６とコピーキー１５の押下を検出したときは、メイン制御部１０２は、検出部１１２に対し、節電キー１２６とコピーキー１５の押下情報を初期化判断部１３へ通知するよう命令する。初期化判断部１３は、コピー機能に関わるユニットとしてのスキャナ部６とプリンタ部７について初期化が必要であると判断する。初期化判断部１３はスキャナ部６とプリンタ部７を初期化するようにメイン制御部１０２に通知する。これを受けてメイン制御部１０２はスキャナ部６とプリンタ部７に対し、初期化するよう命令する。
【００５８】
Ｓ１０７：この工程は、選択されない機能に関するユニットに対し、電源を供給するかを判断する省電力モード判断工程である。即ち、同じくメイン制御部１０２は検出部１１２に対し、節電キー１２６とコピーキー１５の押下情報を通電判断部１２８にも通知するよう命令する。通電判断部１２８は押下情報に基づいて電源を供給するかどうか判断し、スキャナ部６とプリンタ部７以外を省電力モードにするようメイン制御部１０２に通知する。これを受けてメイン制御部１０２はスキャナ部６とプリンタ部７以外に対し省電力モードにするよう命令する。
【００５９】
Ｓ１０８：ステップ１０６におけるメイン制御部１０２からの初期化命令が完了すると、複合機１０１は待機状態Gとなる。待機状態Gはコピー機能を速やかに動作できる省電力モード状態である。
【００６０】
Ｓ１０９：この工程も、操作者からの指示を検出する指示検出工程である。特に、機能の選択をした操作者からの指示を検出する機能選択検出工程でもある。即ち、ステップ１０５において、検出部１１２がコピーキー１５の押下を検出しないときは、メイン制御部１０２は検出部１１２に対し、電源投入時に節電キー１２６とスキャナキー１６の押下を検出したかどうかチェックするよう命令する。検出部１１２がスキャナキー１６の押下を検出したときはステップ１１０へ移行し、検出しないときはステップ１１３へ移行する。
【００６１】
Ｓ１１０：この工程も、複数の機能に関する各ユニットついて初期化するかを判断する初期化判断工程である。即ち、検出部１１２が電源投入時に節電キー１２６とスキャナキー１６の押下を検出したときは、メイン制御部１０２は検出部１１２に対し、節電キー１２６とスキャナキー１６の押下情報を初期化判断部１３へ通知するよう命令する。初期化判断部１３はスキャナ機能に関わるユニットとしてのスキャナ部６について初期化が必要であると判断する。初期化判断部１３はスキャナ部６を初期化するようにメイン制御部１０２に通知する。これを受けてメイン制御部１０２はスキャナ部６に対し、初期化するよう命令する。
【００６２】
Ｓ１１１：この工程も、選択されない機能に関するユニットに対し、電源を供給するかを判断する省電力モード判断工程である。即ち、同じくメイン制御部１０２は検出部１１２に対し、節電キー１２６とスキャナキー１６の押下情報を通電判断部１２８にも通知するよう命令する。通電判断部１２８は押下情報に基づいて電源を供給するかどうか判断し、スキャナ部６以外を省電力モードにするようメイン制御部１０２に通知する。これを受けてメイン制御部１０２はスキャナ部６以外に対し省電力モードにするよう命令する。
【００６３】
Ｓ１１２：ステップ１１０におけるメイン制御部１０２からの初期化命令が完了すると、複合機１０１は待機状態Hとなる。待機状態Hはスキャナ機能を速やかに動作できる省電力モード状態である。
【００６４】
Ｓ１１３：この工程も、操作者からの指示を検出する指示検出工程である。特に、機能の選択をした操作者からの指示を検出する機能選択検出工程でもある。即ち、ステップ１０９において、検出部１１２がスキャナキー１６の押下を検出しないときは、メイン制御部１０２は検出部１１２に対し、電源投入時に節電キー１２６とプリントキー１７の押下を検出したかどうかチェックするよう命令する。検出部１１２がプリントキー１７の押下を検出したときはステップ１１４へ移行し、検出しないときはステップ１１７へ移行する。
【００６５】
Ｓ１１４：この工程も、複数の機能に関する各ユニットついて初期化するかを判断する初期化判断工程である。即ち、検出部１１２が節電キー１２６とプリントキー１７の押下を検出したときは、メイン制御部１０２は検出部１１２に対し、節電キー１２６とプリントキー１７の押下情報を初期化判断部１３へ通知するよう命令する。初期化判断部１３はプリント機能に関わるユニットとしてのネットワーク制御部３及びプリンタ部７について初期化が必要であると判断する。初期化判断部１３はネットワーク制御部３及びプリンタ部７を初期化するようにメイン制御部１０２に通知する。これを受けてメイン制御部１０２はネットワーク制御部３及びプリンタ部７に対し、初期化するよう命令する。
【００６６】
Ｓ１１５：この工程も、選択されない機能に関するユニットに対し、電源を供給するかを判断する省電力モード判断工程である。即ち、同じくメイン制御部１０２は検出部１１２に対し、節電キー１２６とプリントキー１７の押下情報を通電判断部１２８にも通知するよう命令する。通電判断部１２８は押下情報に基づいて電源を供給するかどうか判断し、ネットワーク制御部３及びプリンタ部７以外を省電力モードにするようメイン制御部１０２に通知する。これを受けてメイン制御部１０２はネットワーク制御部３及びプリンタ部７以外に対し省電力モードにするよう命令する。
【００６７】
Ｓ１１６：ステップ１１４におけるメイン制御部１０２からの初期化命令が完了すると、複合機１０１は待機状態Iとなる。待機状態Iはプリント機能を速やかに動作できる省電力モード状態である。
【００６８】
Ｓ１１７：この工程も、操作者からの指示を検出する指示検出工程である。特に、機能の選択をした操作者からの指示を検出する機能選択検出工程でもある。即ち、ステップ１１３において、検出部１１２がプリントキー１７の押下を検出しないときは、メイン制御部１０２は検出部１１２に対し、電源投入時に節電キー１２６とファックスキー１８の押下を検出したかどうかチェックするよう命令する。検出部１１２がファックスキー１８の押下を検出したときはステップ１１８へ移行し、検出しないときはステップ１２１へ移行する。
【００６９】
Ｓ１１８：この工程も、複数の機能に関する各ユニットついて初期化するかを判断する初期化判断工程である。即ち、検出部１１２が節電キー１２６とファックスキー１８の押下を検出したときは、メイン制御部１０２は検出部１１２に対し、節電キー１２６とファックスキー１８の押下情報を初期化判断部１３へ通知するよう命令する。初期化判断部１３はファックス機能に関わるユニットとしてのファックス制御部４、スキャナ部６及びプリンタ部７について初期化が必要であると判断する。初期化判断部１３はファックス制御部４、スキャナ部６及びプリンタ部７を初期化するようにメイン制御部１０２に通知する。これを受けてメイン制御部１０２はファックス制御部４、スキャナ部６及びプリンタ部７に対し、初期化するよう命令する。
【００７０】
Ｓ１１９：この工程も、選択されない機能に関するユニットに対し、電源を供給するかを判断する省電力モード判断工程である。即ち、同じくメイン制御部１０２は検出部１１２に対し、節電キー１２６とファックスキー１８の押下情報を通電判断部１２８にも通知するよう命令する。通電判断部１２８は押下情報に基づいて電源を供給するかどうか判断し、ファックス制御部４、スキャナ部６及びプリンタ部７以外を省電力モードにするようメイン制御部１０２に通知する。これを受けてメイン制御部１０２はファックス制御部４、スキャナ部６及びプリンタ部７以外に対し省電力モードにするよう命令する。
【００７１】
Ｓ１２０：ステップ１１８におけるメイン制御部１０２からの初期化命令が完了すると、複合機１０１は待機状態Jとなる。待機状態Jはファックス機能を速やかに動作できる省電力モード状態である。
【００７２】
Ｓ１２１：ステップ１１７において、検出部１１２が電源投入時に機能キーとしてのコピーキー１５、スキャナキー１６、プリントキー１７及びファックスキー１８のいずれも押下されていないことを検出すると、メイン制御部１０２は検出部１１２に対し、各種機能キー１５乃至１８の非押下情報を通電判断部１２８に通知するよう命令する。通電判断部１２８は非押下情報に基づいて電源を供給するかどうか判断し、全制御部（ネットワーク制御部３、ファックス制御部４、スキャナ部６、プリンタ部７）を省電力モードにするようメイン制御部１０２に通知する。これを受けてメイン制御部１０２は全制御部３、４、６、７を省電力モードにするよう命令する。
【００７３】
本実施の形態における機能キーの検出優先順位は、コピーキー１５＞スキャナキー１６＞プリントキー１７＞ファックスキー１８で説明したが、これに限らず他の検出優先順位であっても適用可能である。
【００７４】
以上のように第２の実施の形態によれば、使用する機能をキー押下により選択しながら電源をオンし、かつ節電キーを押下することにより、選択された機能に関するユニットのみを初期化する。更に、選択されない機能に関するユニットは省電力モード、即ち電源供給を停止することで、待機時の消費電力を最小化することができる。前述の第１の実施の形態では、選択しない機能に関わるユニットは初期化をしない状態、即ち電源は供給されている状態であった。第２の実施の形態においては、選択しない機能に関わるユニットは省電力モードとするので、第１の実施の形態より待機時の消費電力を最小化することができる。また、選択しない機能に関わるユニットは初期化しないこととしたので、使わない機能の初期化に係る時間の短縮を得ることができるという効果も生じる。前述の実施の形態では、複合機に適用した例を説明したが、プリンタ、複写機等の印刷を伴う電子機器に適用することが可能である。
【符号の説明】
【００７５】
１      複合機
２      メイン制御部
３      ネットワーク制御部
４      ファックス制御部
５      画像処理部
６      スキャナ部
７      プリンタ部
８      メモリ
９      操作表示部
１０    電源スイッチ
１１    電源部
１２    検出部
１３    初期化判断部
１５    コピーキー
１６    スキャナキー
１７    プリントキー
１８    ファックスキー
１２８  通電判断部
【図１】
2014158205.tif 000003
【図２】
2014158205.tif 000004
【図３】
2014158205.tif 000005
【図４】
2014158205.tif 000006
【図５−１】
2014158205.tif 000007
【図５−２】
2014158205.tif 000008
【図６】
2014158205.tif 000009
【図７】
2014158205.tif 000010
【図８−１】
2014158205.tif 000011
【図８−２】
2014158205.tif 000012